(57)【特許請求の範囲】
【請求項１】
被洗髪者の頭部を仰向け状態で洗いボールに収容し、被洗髪者の頭部および髪に洗浄液を噴射して自動的に洗髪を行う自動洗髪機において、
オペレータが被洗髪者の頭部後方に立って作業ができる形状の洗いボールと、
洗いボールの近傍であって、オペレータが被洗髪者の頭部後方に立って作業を行う際に邪魔にならない位置に配置された構成要素と、
を備え、
上記構成要素は、洗いボールの上部を開閉するフードを含み、
当該フードは、その後部に連結された開閉用ユニットを有し、当該開閉用ユニットによって、その後方を中心に前方が持ち上がるように洗いボール後部に対して開かれ、且つ、開かれた後、洗いボールの後方上側の位置を回避した位置へ移動されることを特徴とする自動洗髪機。
【請求項２】
上記洗いボールは、陶器により形成されていることを特徴とする、請求項１記載の自動洗髪機。
【請求項３】
上記洗いボールの少なくとも後部下方は、下方に向かって外径が小さくなるコーン形状のハウジングによって覆われていることを特徴とする、請求項１記載の自動洗髪機。
【請求項４】
上記開閉用ユニットは、フードが開いた後、洗いボールの外周面に沿って洗いボールの側方へスライドすることを特徴とする、請求項１記載の自動洗髪機。
【請求項５】
上記開閉用ユニットは、洗いボールの外周面に取り付けられたガイドレールにより案内されてスライドすることを特徴とする、請求項４記載の自動洗髪機。
【請求項６】
上記構成要素はさらに、洗髪時に使用するシャンプーやトリートメント等の薬液を貯蔵する薬液容器を含み、当該薬液容器は、洗いボール下方側部の空きエリアに配置されていることを特徴とする、請求項１記載の自動洗髪機。
【請求項７】
上記構成要素はさらに、ハンドシャワーおよびハンドシャワー用バルブを含み、当該ハンドシャワーおよびハンドシャワー用バルブは、洗いボールの後方上縁の内方に形成された平面部に配置されていることを特徴とする、請求項１記載の自動洗髪機。
【請求項８】
上記構成要素はさらに、自動洗髪機を動作させるための操作パネルを含み、当該操作パネルは、洗いボールの側部近傍に設けられていることを特徴とする、請求項１記載の自動洗髪機。
【請求項９】
上記操作パネルは、自動洗髪機に備えられた支柱の上端に取り付けられていることを特徴とする、請求項８記載の自動洗髪機。
【請求項１０】
上記自動洗髪機は、洗いボールの前方に備えられた被洗髪者が洗髪時に座るための座席を含み、
上記座席と、洗いボールを含む本体とに分離可能であって自動洗髪機の設置場所において合体され、
上記構成要素は、いずれも本体側に備えられていることを特徴とする、請求項６〜９のいずれかに記載の自動洗髪機。
【発明の詳細な説明】
【０００１】
【発明の属する技術分野】
この発明は、理髪店、美容院などで主として業務用に使用される自動洗髪機に関するものである。
【０００２】
【従来の技術および発明が解決しようとする課題】
自動洗髪機は、通常、被洗髪者の頭部を仰向けにして洗いボール内に配置し、被洗髪者の頭部および髪に向けて温水を噴射して洗髪をする。その際、噴射される温水が外部に漏れないように、洗いボールの上部はフードで覆われる。フードは、その後方を中心に回動し、洗いボール上部を開閉可能になっている。
自動洗髪機を使用する場合、理容師、美容師などのオペレータは、フードの開閉を行い、被洗髪者が頭部を洗いボールにセットする際にその手助けをする。また、被洗髪者の頭部を洗いボールに配置して、フードを閉じた後、オペレータは操作パネルを操作して自動洗髪を開始させる。
【０００３】
また、自動洗髪終了後、必要があれば、オペレータはハンドシャワーにより手動で被洗髪者の髪を仕上げ洗いすることもある。
さらに、毛染め剤などを使用して、被洗髪者の髪をオペレータが手動で染めることもある。
このように自動洗髪機の動作に関連して、オペレータは、自動洗髪機を操作したり、被洗髪者を補助したり、被洗髪者に手動の施術を行う。
【０００４】
ところで、従来の自動洗髪機では、オペレータによる施術、特にフードを開いた際に行う施術は、被洗髪者の斜め前方または側方からしか行えなかった。なぜなら、開いたフードが水槽の後部上方に立ち上がっているため、被洗髪者の頭頂部がよく見える後方からの施術はできなかったからである。
また、オペレータが被洗髪者に施術する際、フード以外にも、オペレータの施術の邪魔になる位置に構成部品が配置されていないことが望ましい。
【０００５】
さらに、自動洗髪機は、オペレータにとって操作しやすいものであることが望ましい。
この発明は、かかる背景のもとになされたもので、快適な自動洗髪が行えるとともに、オペレータが操作しやすく、しかも手動の施術もし易い自動洗髪機を提供することを主たる目的とする。
またこの発明の他の目的は、オペレータが水槽の後方に立って被洗髪者に施術することのできる自動洗髪機を提供することである。
【０００６】
【課題を解決するための手段および発明の効果】
この発明は、被洗髪者の頭部を仰向け状態で洗いボールに収容し、被洗髪者の頭部および髪に洗浄液を噴射して自動的に洗髪を行う自動洗髪機において、オペレータが被洗髪者の頭部後方に立って作業ができる形状の洗いボールと、洗いボールの近傍であって、オペレータが被洗髪者の頭部後方に立って作業を行う際に邪魔にならない位置に配置された構成要素と、を備え、上記構成要素は、洗いボールの上部を開閉するフードを含み、当該フードは、その後部に連結された開閉用ユニットを有し、当該開閉用ユニットによって、その後方を中心に前方が持ち上がるように洗いボール後部に対して開かれ、且つ、開かれた後、洗いボールの後方上側の位置を回避した位置へ移動されることを特徴とする自動洗髪機である。
【０００７】
かかる構成にすると、オペレータは被洗髪者の頭部後方、換言すれば自動洗髪機の後方から被洗髪者に対する処置および施術ならびに自動洗髪機の操作が行える。被洗髪者の頭部後方からかかる作業を行うと、被洗髪者に対して作業時に圧迫感を与えず、しかもオペレータは被洗髪者の頭部や髪の状態、特に頭部の左右および髪の毛の状態を確認しながら、処置や施術を行うことができる。
よって、オペレータにとって自動洗髪に伴う作業をしやすく、しかも被洗髪者にとっても快適な施術を受けられる自動洗髪機とすることができる。
【０００８】
フードを、その後方を中心に前方を持ち上げて洗いボール後部に対して開閉させ、開いた後、洗いボールの後方上側の位置を回避した位置に移動させることにより、開いたフードが、オペレータが被洗髪者の頭部後方に立って作業する際の邪魔にならない。
開閉用ユニットを設けることにより、フードを上記回避位置にスムーズに移動させることができる。
【００１０】
洗いボールは、陶器により形成されているのが好ましい。洗いボールを陶器で形成した場合、耐薬品性が向上し、しかも水跳ね音などが少なくなる。さらに陶器製洗いボールは、その内壁や外周面の質感が被洗髪者等に好印象を与え、しかもそれが機械的な自動洗髪機構と組み合わされたことにより、斬新な審美性を醸し出すことができる。よって、意匠的に、被洗髪者やオペレータを魅了する装置とすることが可能である。
【００１２】
洗いボールの下方を、下方に向かって外径が小さくなるコーン形状のハウジングとしたことにより、オペレータは洗いボールの後方に立ちやすく、オペレータの足先や、少し腰を屈めた際にオペレータの膝頭が、ハウジングと干渉することがない。
【００１４】
開閉用ユニットは、洗いボールの外周面に取り付けられたガイドレールにより案内されてスライドするのが便利である。
その際、洗いボールの外周面が円周面であれば、よりスムーズに開閉用ユニットをガイドレールにより案内することが可能である。
自動洗髪機の構成要素には、洗髪時に使用するシャンプーやトリートメント等の薬液を貯蔵する薬液容器が含まれ、薬液容器は、洗いボール下方側部の空きエリアに配置されている。
【００１５】
かかる構成により、薬液容器がオペレータの作業の邪魔にならない。また、薬液容器を洗いボール下方側部の空きエリアに配置することにより、容器内に薬液を補充等する作業が、オペレータにより行いやすいという利点もある。
自動洗髪機の構成要素には、さらに、ハンドシャワーおよびハンドシャワー用バルブが含まれ、当該ハンドシャワーおよびハンドシャワー用バルブは、洗いボールの後方上縁の内方に形成された平面部に配置されているのが望ましい。
【００１６】
上記平面部は、被洗髪者の頭部後方に立ったオペレータと被洗髪者との間に位置しており、そこにハンドシャワーおよびハンドシャワー用バルブが備えられているのであるから、ハンドシャワーおよびハンドシャワー用バルブを操作しやすく、当該ハンドシャワーにより、オペレータは被洗髪者に対してたとえば容易に補助洗髪を行うことができる。
自動洗髪機の構成要素は、さらに、自動洗髪機の操作パネルを含む。そして当該操作パネルは、洗いボールの側部近傍に設けられている。この操作パネルは、好ましくは、防水仕様になっている。
【００１７】
かかる構成によれば、被洗髪者の頭部後方に立ったオペレータは、操作パネルを操作しやすい。
上記操作パネルは、好ましくは、上方に延び出した支柱の上端により支持されているのが望ましい。
【００１８】
操作パネルを専用の支柱によって支持することにより、操作パネルの配置位置の自由度が増す。それにより、洗いボールの形状を自由に設計でき、しかも洗いボールの形状に関わらず、操作パネルを洗いボールの近傍であって、オペレータの操作しやすい位置および高さに設けることが可能となる。
自動洗髪機には、洗いボールの前方に、被洗髪者が洗髪時に座るための座席を含んでいてもよい。
【００１９】
自動洗髪機に座席を設けることにより、座席に座った被洗髪者の頭部をスムーズに洗いボールに収容することができる。換言すれば、自動洗髪のために洗いボールに被洗髪者の頭部を仰向け状態で収容する際に、洗いボールに対する被洗髪者の頭部の位置決めが容易になる。なぜなら、座席は洗いボールに対して一定の位置関係で取り付けられているので、座席に座ることにより、被洗髪者の頭部が洗いボールに対して良好な位置に位置決めできるからである。
【００２０】
自動洗髪機は、上記座席と、洗いボールを含む本体とに分離可能であり、設置場所において合体され得ることが好ましい。
自動洗髪機に座席を一体化した場合、その形状が大きくなり、工場出荷時や搬送時には取り扱いにくい。そこで、座席と洗いボールを含む本体とを分離可能にすることにより、美容院などの設置場所に設置するまでの取り扱いや、検査等が容易に行える。
【００２１】
そして、美容院に設置された場合は、座席および本体は合体されるから、被洗髪者にとって快適な自動洗髪を行い、かつオペレータにとっても扱いやすい自動洗髪機とすることができる。
自動洗髪機の上記各構成要素は、本体側に備えられており、座席側に組み込まれていないことが好ましい。
かかる構成にすれば、装置製造時に、本体側に備えられた各構成要素を検査しやすい。また、設置場所における組立時に、本体側と座席側とを電気的な配線等でつなぐ手間もなくなるからである。
【００２２】
【発明の実施の形態】
以下には、この発明の実施形態について、図面を参照しながら具体的に説明する。
図１は、この発明の一実施形態に係る自動洗髪機の外観平面図であり、図２は、その自動洗髪機の右側面図であって、破線により一部の内部構造が示されるとともに、被洗髪者が洗髪を行っている状態が示されている。
【００２３】
自動洗髪機１には、被洗髪者が洗髪時に座るための座席２と、座席２の後方上部に配置された洗いボール１３と、洗いボール１３の下部後方を囲うコーン形状のハウジング３とが含まれていて、これらは一体化されている。
洗いボール１３は、その上方が開放されており、その前方側の縁に被洗髪者の首を載せるためのネック部１１が形成されている。ネック部１１は下方に凹湾曲し、被洗髪者の首を受け止め得るように、前後方向に所定の幅が与えられている。
【００２４】
洗いボール１３の上方はフード１４で覆われている。フード１４は上方に凸湾曲しており、その前面側には洗髪時に被洗髪者の顔を露出せさるための開口１２が形成されている。フード１４は、その後方をに備えられた開閉用ユニット１０２によって、洗いボール１３に対して開閉可能である。
洗髪時には、被洗髪者が座った座席２は、その背もたれ８が後方へ倒れるとともに足置き７が上昇する。従って座席２に座った被洗髪者は、リラックスした姿勢で、頭部を仰向けに洗いボール１３内に収めることができる。そしてフード１４が閉じられ、被洗髪者は顔をフード１４の開口１２から出した状態で、自動洗髪が行われる。
【００２５】
フード１４の開閉操作、座席２のリクライニング操作および自動洗髪の開始操作等は、オペレータ（この自動洗髪機１が設置された理髪店や美容院などの理髪師や美容師等）が行う。フード１４の開閉は、後述するように手動で行われる。座席２のリクライニング動作は、座席２の左側の後部上方（左側の肘掛けの後部上方）に組み込まれた操作パネル１６を操作することにより、たとえば電動で行わせることができる。操作パネル１６は、防水仕様になっており、水滴等がかかっても、操作や性能に支障はないことが好ましい。この操作パネル１６には、図示しないが、座席２のリクライニング操作用ボタンの他、自動洗髪のために必要な種々のボタンが備えられている。この操作パネル１６は、通常、オペレータが操作しやすい態様で配置されている。
【００２６】
具体的には、上述したように、座席２の側方で、後部上方の位置、すなわち洗いボール１３の近傍に配置されている。オペレータは、洗いボール１３の周囲に立って、フード１４を開閉したり、座席２をリクライニングさせて被洗髪者の頭部を洗いボール１３に収容する際にその補助をしたり、自動洗髪終了後に、被洗髪者の髪を手で仕上げ洗いをしたり、被洗髪者の髪を染めたりといった施術を行う。それゆえ、操作パネル１６が洗いボール１３の近傍に配置されていると、操作パネル１６のボタン等を操作しやすい。
【００２７】
操作パネル１６の配置位置は、図１および図２に示される位置に限られるものではなく、図３に示すように、コーン形ハウジング３の側面に配置されていてもよい。
操作パネル１６は、また、図４に示すように、ワイヤ１６ａによって装置内部と電気的に接続されたワイヤードリモコンの形態をしていてもよい。この場合、操作パネル１６は、たとえば洗いボール１３の下方を覆う右ハウジング３Ｒにフック等で吊るされていてもよい。オペレータが操作パネル１６を操作する場合は、フックから操作パネル１６を外して操作することができる。従ってオペレータが洗いボール１３の後方に立って操作しやすく、また操作しない場合はオペレータの邪魔にならない位置に掛けておくことができる。
【００２８】
なお、操作パネル１６は、ワイヤードリモコンの形態に限らず、ワイヤレスリモコンの形態をしていてもよい。またリモコン形態の操作パネル１６を配置しておく位置は、図４の位置に限られるものではなく、コーン形ハウジング３の側面であってもよいし、その他の位置であってもよい。また配置は、フックに下げる形態に限らず、たとえばハウジングの一部を窪ませ、そこにリモコン形式の操作パネル１６を収容するような構成であってもよい。
【００２９】
図１および図２に示す自動洗髪機１は、たとえば美容院に配置されて使用される時の状態を示しているが、この自動洗髪機１は、工場出荷時から、図１や図２に示す状態になっているわけではない。なぜなら、座席２、ハウジング３および洗いボール１３が組み合わされて一体になった状態で搬送しようとすると、その梱包や搬送が大変である。そこでこの実施形態では、図５および図６に示すように、工場出荷時等には、座席２と、ハウジング３および洗いボール１３を含む本体１０とが分離された状態となっている。そして座席２と本体１０とは、美容院などの設置場所において、設置の際に合体され得るように構成されている。
【００３０】
図５は、座席２と本体１０とを分離した状態の平面図であり、図６は、分離した状態の側面図である。図６では、座席２および本体１０の内部構造が破線または実線により示されている。
図５および図６を参照して、本体１０にはベースフレーム４が備えられている。ベースフレーム４の後方上部には自動洗髪のためのメカニズム５が配置されており、その上方に洗いボール１３が備えられている。洗いボール１３の下方には、ベースフレーム４およびメカニズム５を覆うように、下方に縮まるコーン形のハウジング３が備えられている。
【００３１】
ベースフレーム４の中央（メカニズム５の配置位置の前側）には貯湯タンク４５が取り付けられている。貯湯タンク４５は、後述するように自動洗髪のための温水を溜めるためのもので、座席２と干渉しない形状にされている。
ベースフレーム４の前方には、メカニズム５を制御するための電気部品が収容された電気ボックス１７が備えられている。さらに、ベースフレーム４には支柱６が立てられ、その上端に操作パネル１６が支持されている。なお図示しないが、操作パネル１６は電気ボックス１７内の電気部品と電気的に接続されている。
【００３２】
なお、ベースフレーム４上において、メカニズム５を後方に配置し、電気ボックス１７を前方に配置したことにより、電気ボックス１７に水等がかかる虞れが極めて少なくなり、電気部品のショートや漏電等が予防されている。
座席２内には、リクライニング機構１５が組み込まれている。また、図５に示すように、座席２の左側肘掛け９Ｒは、その後端部が、平面形状で鉤形に切欠かれた切欠部１９が形成されている。さらに肘掛け９Ｒの後方上部側面は、斜めに切り取られた傾斜面２０となっている。これにより、本体１０と座席２とが合体された時に、操作パネル６を支える支柱６が切欠部１９に収まり、操作パネル１６は傾斜面２０に沿って配置される仕組みである。つまり、本体１０と座席２との合体時には、操作パネル１６はあたかも肘掛け９の後部上方に取り付けられた状態になるが、実際には操作パネル１６は本体１０側に備えられている。
【００３３】
かかる構成にすることにより、設置場所において本体１０と座席２とを合体させた際に、本体１０と座席２との電気的な構成部品同士をコネクタ等で接続する手間を省くことができる。
なお、座席２のリクライニング機構１５を、操作パネル１６を操作することにより電気的に動作させる構成であれば、リクライニング機構と本体１０の電気ボックス１７とを電気的に接続する必要がある。しかし、もし座席２のリクライニング機構が、たとえば油圧などの機構であって、座席２側で操作できるのであれば、本体１０と座席２との電気的な配線ジョイントは、完全に省くことができる。
【００３４】
図７は、自動洗髪機１の水路図である。図７を参照して説明すると、洗いボール１３内には、温水を噴射するための複数のノズル２４，２６，２７〜３０が設けられている。ノズル２４は、上ノズルであり、上ノズルリンク２３に配置されている。ノズル２６はしたノズルであり、下ノズルリンク２５に配置されている。ノズル２７〜３０は、固定ノズルである。
上ノズルリンク２３は、洗いボール１３内上部に設けられ、被洗髪者の頭部を取り囲むようにして略半円弧状に形成されている。上ノズルリンク２３は、その端部が洗いボール１３の側壁に回動自在に取り付けられており、被洗髪者の頭部の斜め上方および斜め下方の間で揺動可能にされている。上ノズルリンク２３には、上述した複数の上ノズル２４が、頭部方向に向けて配列されている。そして、上ノズル２４から噴射される温水により、頭部および髪の根元部分を洗うことができるとともに、温水の噴射により頭皮をマッサージできるようになっている。
【００３５】
下ノズルリンク２５は、棒状に形成されており、洗いボール１３内で被洗髪者の頭部の下方に位置している。下ノズルリンク２５は、その端部が洗いボール１３の側壁に支持されている。下ノズルリンク２５には、上述した複数の下ノズル２６が設けられており、頭部方向に向けて配列されている。下ノズル２６から噴射される温水により、髪の根元部分および襟足部分を洗うことができる。
固定ノズル２７は、洗いボール１３の相対的に下方で、前後の内壁に、複数、たとえば、３箇所設けられ、主として長い髪の先端部分を洗う働きをする。これら固定ノズル２７は、単一の管８６に接続され、管８６からの温水を噴射する。
【００３６】
一方、固定ノズル２８，２９，３０は、洗いボール１３の相対的に上方の内壁に設けられ、主に温水の噴射により頭皮をマッサージするためのものである。固定ノズル２８，２９，３０は、対応する管８７，８８，８９にそれぞれ接続されている。
各固定ノズル２７〜３０の温水の噴射方向は、固定ノズル２７〜３０の噴射の向きを変えることにより調整することができる。
【００３７】
この実施形態では、上ノズルリンク２３および下ノズルリンク２５に、それぞれ上ノズル２４および下ノズル２６を配置したので、被洗髪者の頭部および襟足を良好に洗浄することができる。
しかし、別の構成としては、すべてのノズルを、洗いボール１３の内側壁に配置して、回動するノズルリンクを省略することも可能である。
次に、これら各ノズルに温水を供給するための水路について説明する。
【００３８】
自動洗髪機１では、洗髪用の温水は、外部の水道および給湯器から供給される。水道につながる給水管３２から供給される水は、水供給部４０を経てミキシングバルブ４１へ与えられる。水供給部４０は、手動弁、フィルタ、逆止弁、アキュムレータ、安全弁等をユニット化したものである。また、給湯器の給湯管３３から供給される湯は、湯供給部４２を経てミキシングバルブ４１に与えられる。湯供給部４２は、手動弁、フィルタ、逆止弁等をユニット化したものである。ミキシングバルブ４１では、与えられた水と湯とが混合され、適当な温度の温水が作られる。ミキシングバルブ４１は、モータ３９により駆動される。ミキシングバルブ４１で作られる温水の温度は、オペレータが操作パネル１６を操作することによって調節可能にされている。
【００３９】
ミキシングバルブ４１で作られた温水は、シャワーバルブ４７が開かれると、供給ホース４９を介してハンドシャワー１８に導かれる。その結果、ハンドシャワー１８から温水を噴射することができる。
ミキシングバルブ４１で作られる温水は、また、給湯バルブ４３が開かれると、供給管４４を介して貯湯タンク４５へ供給される。供給管４４には、ミキシングバルブ４１から供給される温水の温度を検出するためのサーミスタ４６が備えられている。
【００４０】
貯湯タンク４５の内部には、貯湯タンク４５に溜められている温水の水量を検出するための下位水量センサ５０および上位水量センサ５１が備えられている。下位水量センサ５０および上位水量センサ５１の出力はマイクロコンピュータ（図示せず）による給湯バルブ４３の開閉制御に利用される。これにより、貯湯タンク４５内に常に適量の温水が自動的に満たされ得るようにされている。
なお、貯湯タンク４５の下方位置には、貯湯タンク４５に溜められた温水の温度を検出するためのサーミスタ５２が備えられている。
【００４１】
貯湯タンク４５の上方位置には、上位水量センサ５１で検出される水量以上に温水が貯湯タンク４５に溜まった場合、その余分な温水を貯湯タンク４５の外部へ溢れ出させるための溢水口５３が形成されている。溢水口５３の下方にはドレンパン５５が備えられている。溢水口５３から溢れ出した温水はドレンパン５５で受け止められ、ドレンパン５５から機外に延びている排水管５６を通って機外に排水される。
【００４２】
さらに、ドレンパン５５には、水位センサ５４が設けられている。これは、排水管５６に一旦排水された温水が逆流などして、ドレンパン５５内に温水が満ちた異常状態を検出するためのものである。
貯湯タンク４５における溢水口５３およびドレンパン５５の配置位置は、図６に示すように、本体１０の後方寄りになっている。これにより、溢水口５３から溢れた水が電気ボックス１７にかかるのが予防されている。
【００４３】
再び図７を参照して、貯湯タンク４５の下方には流出管５７が接続されている。流出管５７の他端は、ポンプ５９の吸込口に接続されている。ポンプ５９はインバータ５８から交流電流が供給されることによって駆動される。ポンプ５９が駆動されると、貯湯タンク４５に溜められている温水は、流出管５７を通ってポンプ５９内に吸い込まれる。
流出管５７の途中部には、シャンプー供給管６１およびトリートメント供給管６２が合流している。シャンプー供給管６１は、シャンプー容器２１からシャンプー用ポンプ６５を介して流出管５７に接続されている。トリートメント供給管６２は、トリートメント容器２２からトリートメント用ポンプ６６を介して流出管５７に接続されている。シャンプー容器２１はシャンプー液を貯蔵し、トリートメント容器２２はトリートメント液を貯蔵する。これら容器２１，２２は、後述するように、ハウジング内に取り外し可能に設置されている。
【００４４】
シャンプー用ポンプ６５とトリートメント用ポンプ６６は、それぞれ、管６１，６２を扱くことによってシャンプー容器２１およびトリートメント容器２２に貯蔵されているシャンプー液およびトリートメント液を汲み上げ、流出管５７へ送り出すためのものである。
この構成において、ポンプ５９がインバータ５８によって駆動される間に、シャンプー用ポンプ６５が駆動されると、シャンプー容器２１に貯蔵されているシャンプー液がシャンプー供給管６１を介して流出管５７に供給される。その結果、温水にシャンプー液が混入されて、シャンプー用温水が作られる。
【００４５】
同様に、ポンプ５９が駆動される間に、トリートメント用ポンプ６６が駆動されると、トリートメント容器２２に貯蔵されているトリートメント液がトリートメント供給管６２を介して流出管５７に供給される。その結果、温水にトリートメント液が混入され、トリートメント用温水が作られる。
ポンプ５９内に吸い込まれた温水、シャンプー用温水またはトリートメント用温水は、ポンプ５９の出口側から吐出される。ポンプ５９の出口側には、複数、たとえば、８つの分路に分かれる分岐管７５が接続されている。
【００４６】
分岐管７５には、フィルタ７４が設けられ、その下流側の各分路先端には、８つのバルブ、すなわち、上ノズルバルブ７６、下ノズルバルブ７７、固定バルブ７８〜８１、排水バルブ８２および予備バルブ８３が接続されている。予備バルブ８３は省略してもよい。予備バルブ８３を除いた残りの各バルブを介して、管８４〜９０がそれぞれ接続されている。
管８４の先端は、上ノズルリンク２３に接続されている。管８５の先端は下ノズルリンク２５に接続されている。管８６の先方部は洗いボールの側壁外方に配置されており、管８６の先方部には、上述の複数の固定ノズル２７が所定間隔で配列されている。管８７〜８９の先端は、洗いボール１３の内側壁に配置された固定ノズル２８〜３０にそれぞれ接続されている。管９０の先端は、洗いボール１３の底面下方に連設された排水トラップ９２、排水管９３を介して排水管５６に接続されている。
【００４７】
この構成によれば、インバータ５８によってポンプ５９を駆動し、かつ各バルブ７６〜８１を必要に応じて選択的に開くことにより、洗いボール１３内の所望のノズルから温水、シャンプー用温水またはトリートメント用温水を噴射させ、被洗髪者の髪を自動的に洗髪することができる。
また、上ノズルリンク２３および下ノズルリンク２５は、洗髪時には、駆動機構３１によってそれぞれ揺動および回動される。その結果、上ノズル２４および下ノズル２６から噴射される温水の噴射方向が変化して、これにより、被洗髪者の髪を万遍なく、かつ良好に洗髪できる。
【００４８】
ところで、自動洗髪機を使用する場合、自動洗髪後に、オペレータが仕上げに手で被洗髪者に仕上げ洗髪を施す場合がある。また、オペレータが自動洗髪後の被洗髪者の髪に対して毛染めを行う場合もある。また、自動洗髪後の濡れた髪をタオルで拭く等の処置をする。
この実施形態に係る自動洗髪機１では、上述の各種の施術や処置や作業等を、図８に示すように、オペレータが洗いボール１３の後方側から行えるように、構成が工夫されている。
【００４９】
工夫された構成とは、
▲１▼操作パネル１６が、洗いボール１３の近傍であって、かつ、オペレータが操作しやすい位置に配置されていること、
▲２▼シャンプー容器２１およびトリートメント容器２２が、オペレータの作業の邪魔にならない位置に配置されており、しかも、シャンプー容器２１およびトリートメント容器２２の交換や溶液の補充がしやすい位置であること、
▲３▼フード１４が開かれた時、フード１４がオペレータの施術や作業の邪魔にならない位置に移動できるようにされていること。
【００５０】
▲４▼洗いボール１３の周囲形状、特にその下方側の形状が、オペレータの施術や作業の邪魔にならない形状となっていること。
である。このうち、▲１▼に関しては既に説明したので、以下、▲２▼以降の構成について、より具体的に説明をする。
図９は、自動洗髪機１を後方左上部から見た斜視図である。洗いボール１３の外周面には、周方向に延びるガイドレール１０１が配置されている。ガイドレール１０１には開閉用ユニット１０２が取り付けられている。開閉用ユニット１０２の上部はフード１４の後面に連結されており、フード１４を開閉自在に保持している。フード１４を持ち上げて立ち上げた状態で、開閉用ユニット１０２はガイドレール１０１に沿って右方向（図９において右方向であり、自動洗髪機１の正面側から見ると、洗いボール１３の周面に沿って左側）へ移動できるようになっている。
【００５１】
また、洗いボール１３の周面は、その下に配置されたコーン形ハウジング３に連なる形状をし、上方に向かってその外径が大きくなるように形成されている。
洗いボール１３の左側（自動洗髪機１の正面から見て左側）には、肘掛け９Ｌの後部に隣接した四角柱状のハウジング３Ｌが位置している。このハウジング３Ｌ内には、図７で説明した駆動機構３１が配置されている。そしてハウジング３Ｌの下方部は空きスペースとなっており、このスペースを利用してシャンプー容器２１およびトリートメント容器２２が配置されている。具体的には、ハウジング３Ｌの下方側面に蓋１０３が備えられ、蓋１０３にはハウジング３Ｌ内に配置されたシャンプー容器２１およびトリートメント容器２２の液の残量を確認するための窓１０４が開けられている。
【００５２】
この実施形態では、駆動機構３１が備えられているので、その駆動機構３１を覆うハウジング３１Ｌの下方部の空きスペースを利用してシャンプー容器２１およびトリートメント容器２２を配置しているが、シャンプー容器２１およびトリートメント容器２２は、オペレータが自動洗髪機１を操作する際に、オペレータの邪魔にならない位置に配置されていればよい。つまり、フード１４を開いた時、フード１４はオペレータの邪魔にならない位置に移動されるから、そのフードの下方位置であれば、オペレータの邪魔にならない位置であるといえる。従ってフードが開かれて所定の位置に移動されたときに、そのフードの下方になる位置に、シャンプー容器２１およびトリートメント容器２２が配置される構成であればよい。
【００５３】
図１０は、自動洗髪機１を後方から見た図で、ハウジング３Ｌ内におけるシャンプー容器２１およびトリートメント容器２２の収納位置１２０をハッチングを付した領域で表わしている。
図１１は、シャンプー容器２１およびトリートメント容器２２の収納部分の詳しい構成を示す図解的な図で、自動洗髪機１を正面側から見た構成を示している。
【００５４】
図１１において、６５はシャンプー用ポンプであり、このシャンプー用ポンプ６５は専用のモータ６５ａで駆動される。シャンプー用ポンプは、図６を参照して説明したように、シャンプー供給管６１を扱くことによって、シャンプー容器２１内に貯蔵されたシャンプー液を汲み出すものである。シャンプー供給管６１の吸込側６１ａは、その先端がシャンプー容器２１内に挿入されている。そしてシャンプー用ポンプ６５を経由して吐出側６１ｂとなり、前述したように流出管５７（図１１では図示せず）に合流している。
【００５５】
シャンプー容器２１は、その一側面（ハウジング３Ｌに形成された出し入れ用の開口１０５に臨む側面）２１０に、上下方向に所定の間隔をあけて配列された残量マーク２１１が備えられている。残量マーク２１１は、シャンプー容器２１の一側面に突起もしくは凸条または窪みもしくは凹条を形成することにより設けるのが望ましい。シャンプー容器２１には、さらに上記一側面２１０側からシャンプー容器２１を２本の指で挟んで取り出せるように、容器２１の前後面にそれぞれ窪み２１２が形成されている。シャンプー容器２１の上面には、補充穴１３が形成されてキャップ２１４で塞がれている。さらにシャンプー容器２１の上部右側には、汲み出し口２１５が形成されている。汲み出し口２１５は、容器２１から斜め上方へ延び出ており、その内部に汲み出し口と交差方向に汲み出し口内を横切る液垂れ防止リブ２１６が形成されている。図１３は、汲み出し口２１６を図１１における矢印Ａ方向から見た図である。
【００５６】
シャンプー容器２１内のシャンプー液が少なくなった場合は、図１２に示すように、窪み２１２に指をかけ、容器を挟んでシャンプー容器２１を開口１０５から引き出し、キャップ２１４を外して補充穴２１３からシャンプー液を補充する。その際、シャンプー供給管６１の吸込側の管６１ａは、シャンプー容器２１内に挿入されていた部分が、汲み出し口２１５から外に出る。そして、管６１ａの外周面に付着している、通常粘性のあるシャンプー液は、管６１ａから液垂れをする虞れがある。この液垂れ防止のために、リブ２１６が備えられている。シャンプー容器２１を引き出すことにより、管６１ａが汲み出し口２１５から引き出されるが、その際、管６１ａの外周面下方は、リブ２１６に摺接しながら引き出される。よって、管６１ａの外周面に付着しているシャンプー液は、リブ２１６で擦れて落とされるので、外部に露出した管６１ａからシャンプー液が垂れ落ちることがない。リブ２１６で擦れて落ちるシャンプー液は、リブ２１６の下方の穴２１７からシャンプー容器２１内に戻る。
【００５７】
なお、トリートメント容器２２も、シャンプー容器と並設され、同様の構成になっている。
図１４は、洗いボール１３の構成を説明するための図で、１４Ａは正面側の断面図、１４Ｂは右側面側の断面図である。洗いボール１３は、この実施形態では陶器により一体成形されている。洗いボール１３の上端縁の前方略中央には、仰向けになった被洗髪者の首を載せるためのネック部１１としての窪みが形成されている。また、洗いボール１３の後壁には、後方へ略水平に延びる平坦面３６が形成されている。
【００５８】
平坦面３６には、オペレータが手動で補助洗髪等を行う際に用いるハンドシャワー１８と、ハンドシャワー１８から噴射される温水の量を調節するためのシャワーバルブ４７とが左右に並べて配置されている。平坦面３６は洗いボール１３の上部外周縁に比べて一段低い位置に形成されているから、ここに配置されたハンドシャワー１８やシャワーバルブ４７は、図示を省略したフード１４を閉じた状態では、フード４内に隠れた状態となる。
【００５９】
なお、ハンドシャワー１８は、手で持って引き出すことができるようになっている。
この実施形態のように、洗いボール１３を陶器により成形すると、たとえばＦＲＰ（Fiber Reinforced Plastic) により形成された洗いボールに比べて、毛染め液などの染料が付着しにくく、耐薬品性が向上する。また、洗いボール１３内に噴射される温水の水跳ね音は、洗いボール内壁面に当たった際に反響せず、自動洗髪時やハンドシャワーによる補助洗髪時の発生音が小さくなる。また、洗いボール１３の下方に配置されたモータやポンプ等の駆動音が、洗いボール３１の上方に伝わりにくくなり、被洗髪者にとって音の静かな自動洗髪機とすることができる。
【００６０】
さらに、ネック部１１は、洗いボール１３の前壁の上端縁が内方に向かって湾曲するように折り返された形状（いわゆるアンダーカット形状）となっている。ネック部１１は、洗いボール１３の内方へ向かって形成されているので、被洗髪者の首を受けるのに十分な前後方向の幅を有する形状とすることができる。また下ノズルリンク２５は、洗いボール１３の内面と、折り返されて下方に延びるネック部１１との間の空間内に配置されて、隠れた状態となるので、見栄えがよい。
【００６１】
さらに、洗いボール１３を陶器製とした場合、その上縁を滑らかな端面に仕上げたり、その内周面および外周面を、釉薬の作用などによって滑らかに焼き上げることができる。このため、陶器製の洗いボール１３自体が、装飾性のある表面を形作り、洗いボール１３の周囲を別部材で覆って装飾する等の構成を省略することも可能である。
なお、洗いボール１３の形状は、図１４の形状に限られるものではなく、たとえば図１５Ａ，Ｂに示すような構成としてもよい。
【００６２】
洗いボール１３を、図１５に示すような形状とした場合、洗いボール１３の外観をそのまま露出させた配置ができる。また、ハンドシャワー１８やシャワーバルブ４７は、洗いボール１３のたとえば上端面後方ではなく側方に配置することも可能となる。
次に、フード１４の開閉および移動のための構成について説明をする。
フード１４は、被洗髪者の顔を露出させつつ洗いボール１３の上部を開閉可能に覆うものである。このため、フード１４は、閉じられた状態において上方へ凸湾曲した形状とされ、前方傾斜面２０に開口１２が形成されている。なおこの開口１２には、略Ｕ字形に形成された柔軟なシール部材が取り付けられている。シール部材は、フェイスシールと呼ばれて、被洗髪者の顔面に沿いつつ、その周囲を封止する。
【００６３】
フード１４の後部に連結された開閉用ユニット１０２は、図１６に示すフード１４を閉成した位置と、図１７に示すフード１４を開成した位置とで、それぞれフード１４の位置を規制して保持する。閉成位置では、フード１４は、洗いボール１３を上方から覆う。開成位置では、洗いボール１３の上部を開放し、図１７Ａに示す第１位置から矢印で示すように洗いボール１３の周囲に沿って略９０度回った第２位置まで移動する。
【００６４】
第２位置は、図８、図１０および図１８に示すように、洗いボール１３の後方側からオペレータが施術等をする際に、フード１４が邪魔にならない位置である。すなわち、洗いボール１３の後方上側の領域を回避した位置が、第２位置である。
第２位置、すなわち回避位置は、この実施形態では、正面視で、洗いボール１３の左側上方の位置とされている。しかし、この位置に限らず、洗いボール１３の右側上方の位置であってもよい。
【００６５】
フード１４が第２位置（回避位置）に移動された場合、洗いボール１３の後方から施術を行うオペレータは、フード４が邪魔にならずに済むので、良好に施術や作業や操作等を行うことができる。特に、被洗髪者の頭部後方側からの施術を行えるので、被洗髪者の右側頭および左側頭に均等に力が加わり、たとえばむらなく手動による補助洗髪を行うことができる。また毛染め時に、被洗髪者の頭部がよく見えるので、髪の染まり具合をチェックしやすく、毛染めをきれいに仕上げることができる。さらに、施術時に、オペレータが被洗髪者の視野に入らず、被洗髪者に圧迫感を与えずに済む。
【００６６】
次に、開閉用ユニット１０２の具体的な構成を、図１８〜図２２を参照して説明する。
開閉用ユニット１０２は、フード１４を回動させるための回転中心軸６７と、回転中心軸６７を支持する支持部材６８と、支持部材６８と回転中心軸６７を介して連結されフード１４に設けられた被支持部６９とを有している。回転中心軸６７は、閉じたフード１４の後部に対応して、洗いボール１３の後部に左右方向に沿って延びて配置され、支点としての回転中心軸６７の軸線の周りにフード１４を回動させることができる。被支持部６９と支持部６８と回転中心軸６７とは、フード１４を開閉するための蝶番構造を有する。フード１４は、支点を中心に回動されて、フード１４の前方が上方へ上がるようにして後方へ開く。
【００６７】
開閉用ユニット１０２は、また、フード１４を第１の位置に開いた後、フード１４を洗いボール１３の左側側方へとスライドさせて、第２の位置に案内する。この間、フード１４は、ガイドレール１０１に案内されて移動する。ガイドレール１０１は、第１ガイド７０および第２ガイド７２を有している。
第１ガイド７０は、洗いボール１３の上周縁に一体的に形成されていて、支持部６８に設けられた当接部７１を摺動自在に支持する。当接部７１は、支持部６８の上部に一体に形成されている。
【００６８】
第２ガイド７２は、断面溝形形状を成し、洗いボール１３の外周面を取り囲むように固定され、水平に延びている。その溝の内部には、ローラ７３が転動自在に収容されている。ローラ７３は、支持部６８の下部に軸９４により回動自在に支持されている。第２ガイド７２は、第１ガイド７０に対して、上下方向に所定距離をあけて配置されていて、立ち姿勢のフード１４をしっかりと支えるようになっている。
【００６９】
支持部６８は、上下に長い部材である。支持部６８の中間部は、洗いボール１３の外周面との間に手が入るように隙間をあけて設けられている。フード１４を第１ガイド７０および第２ガイド７２に沿って移動させる際に、支持部材６８は把手として機能する。なお、フード１４を手で持って移動させてもよい。
開閉用ユニット１０２では、当接部７１が第１ガイド７０に沿いつつ、ローラ７３は第２ガイド７２の溝の内部を転動する。これにより、支持部６８、ひいてはフード１４を、第１位置から第２位置へとスムーズに移動させることができる。
【００７０】
第１位置では、フード１４を位置決めする位置決め部材９５が設けられている。位置決め部材９５は、ローラ７３の外周に沿う円弧状の弾性部材９６と、弾性部材９６の端部に設けられて弾性部材９６とローラ７３とを係合させ易くするための傾斜状の突起９７とを有している。弾性部材９６は、ローラ７３の移動方向に沿う両側でローラ７３の外周と沿う一対の部材を含む。ローラ７３の外周が弾性部材９６の円弧と沿い、ローラ７３が弾性部材９６の一対の部分により挟まれた状態で係止されて、ローラ７３は、案内方向に沿う両側の向きへの移動を規制されて位置決めされる。そして、ローラ７３が弾性部材９６を撓ませつつ、その端部を乗り越えると、ローラ７３と弾性部材９６との係合が解除されて、ローラ７３を自在に回転させて第２の位置へ向けて移動させることができる。一方、第２の位置から第１の位置へ移動する場合、ローラ７３を、突起９７に押し当てて、弾性部材９６を撓ませつつ、突起９７を乗り越えさせると、ローラ７３に弾性部材９６が沿って係合状態となり、位置決め状態にすることができる。
【００７１】
このように、第１位置でフード１４を保持し、特に横方向への移動方向の両側の向きについて位置決めしているので、フード１４を洗いボール１３に対して精度良く移動させて、フード１４を閉じることができる。従って、自動洗髪の準備作業において、被洗髪者の首をネック部１１に載せて洗いボール１３内の所定位置に配置した後、被洗髪者の顔面に対して、フード１４を良好にセットできる。
また、第２の位置でも、フード１４は、特に図示していないが、互いに当接し合う部材により、がたついたり移動しないように位置決めされている。
【００７２】
なお、開閉用ユニット１０２の構成としては、上述の構成に限定されず、第１ガイドまたは第２ガイドの一方を省略することも考えられる。
なお、図１８〜図２２を参照した説明では、フード１４を開閉し、かつ移動させるための開閉用ユニット１０２の機構を中心に説明したので、開閉用ユニット１０２の形状が、たとえば図９で示したものと若干異なっている。
また、この実施形態では、フード１４は、開いた時の第１位置および第２位置のいずれにおいても、その下端が、平面視で、洗いボール１３と重なるように配置されている。これにより、フード１４の内面に洗髪時に付着した水滴が、フード１４が開いて立ち姿勢となった時に、フード１４の下端から垂れ落ちても、たれ落ちる水滴は洗いボール１３内に落下するので、自動洗髪機１の周囲を濡らすことがない。
【００７３】
洗いボール１３の下方を覆うハウジング３は、下方に向かってその外径が縮まるコーン形状をしている。自動洗髪機１の後面を形成するハウジング３の形状をかかる形状にすることにより、自動洗髪機１の後方に立ったオペレータにとってハウジング３が邪魔になりにくい。また、オペレータがハウジング３に沿って体を移動させ易い。従って、後方からの施術をオペレータが一層容易に行うことができる。
【００７４】
上述の自動洗髪機１では、座席２を一体化したので、座席２の下方に貯湯タンク４５の一部や電気ボックス１７を配置することができる。これにより、洗いボール１３の下方空間に配置する機構を少なくすることができ、洗いボール１３の下方を覆うハウジング３を、上述のコーン形状とすることができたものである。
さらに、図８に示すように、ハウジング３の最下部は窪み３５を有し、窪み３５は、内側に窪んで形成されている。窪み３５は、その近くにいるオペレータの足先が内部に入ることができるようにされている。これにより、オペレータが洗いボール１３、ひいては被洗髪者の頭部により一層接近できて、後方からの施術をより一層容易に行うことができる。
【００７５】
上述の自動洗髪機１では、後方からの施術を容易にするため、開閉用ユニット１０２により、フード１４を洗いボール１３に沿って側方へスライドさせていたが、かかる構成に限定されるものではない。たとえば、以下の変形例に示すように、フード１４を他の回避位置に移動させたり、着脱可能にすることが考えられる。以下の変形例では、先に説明した自動洗髪機１と同様の部分については同じ符号を付して説明を省略し、異なる点を中心に説明をする。
【００７６】
図２３に示す変形例では、フード１４は、閉成状態（２点鎖線で図示）から、洗いボール１３の左側の一方の側方に設けられた支点としての回転中心軸６７を中心にして、フード１４の右側部１４１が上方に上がるようにして開くようにされている。この開いた状態のフード１４を実線で図示した。このように開いたフード４は、オペレータと被洗髪者との間を妨げずに済む。なお、支点を洗いボール１３の右側に設けてもよい。
【００７７】
また、回転中心軸６７は、閉成位置から、フード４を一旦上方へ持ち上げるリフト機構１１０を有している。一旦持ち上げられた位置にあるフード１４（図２３に１点鎖線で図示）を、上述のようにして開いた状態に回動させる。このリフト機構１１０は、回動中心軸６７の端部が嵌まって上下方向に移動自在に案内する縦溝１１１を形成する支持部６８を有している。フード１４が開く際には、被洗髪者の上に被さったフード１４が、一旦上方に持ち上がり、その後支点を中心に回動する。フード１４が開く際、被洗髪者の顔面に影響を与えずに済む。従って、フード１４をスムーズに開けることができる。
【００７８】
図２４は、さらに別の変形例を示す。この構成では、フード１４は、その前部１４２が上に上がるように洗いボール１３の後方へ開き（この状態のフード１４を１点鎖線で図示）、その後、洗いボール１３の後側面１３１に沿って下方へ移動するようにされている（この状態のフード１４を２点鎖線で図示）。このようにフード１４および回転中心軸６７を移動させるための具体的な構成としては、リンク機構、スライド案内機構等の公知の構成を利用できる。このように開いたフード１４は、洗いボール１３の後方下側にしまわれるから、開いた洗いボール１３の後方に立ったオペレータと被洗髪者との間を妨げずに済む。なお、フード１４は、ハウジング３の背後にしまわれるようにしてもよいし、ハウジング３と洗いボール１３との間の隙間空間にしまわれるようにしてもよい。その際、ハウジング３がコーン形状をしていれば、開いたフードを収めるためのスペースを確保できるという利点もある。
【００７９】
また、フード１４を洗いボール１３に着脱自在に設けてもよい。フード１４が不要なときには、フード１４を洗いボール１３から取り外せばよい。従って、フード１４が、洗いボール１３の後方に立ったオペレータと被洗髪者との間を妨げずに済む。また、フード１４を取外すことにより、洗いボール１３の上部を全周面にわたって開放することができる。よって、オペレータは後方および左右側方からの施術が可能となる。
【００８０】
なお、上記実施形態の説明では、自動洗髪機１は、座席２を一体的に有するものとして説明したが、座席２を備えていないものでも構わない。
たとえば、自動洗髪機１は、図２５に示すように、洗いボール１３およびハウジング３により構成され、座席２が省略されたものであってもよい。この場合、貯湯タンク４５や電気ボックス１７等は、ハウジング３ないに配置してもよいし、外部に別置きとすることも考えられる。
【００８１】
その他、この発明は請求項記載の範囲内において種々の変更が可能である。
【図面の簡単な説明】
【図１】この発明の一実施形態に係る自動洗髪機の外観平面図である。
【図２】この発明の一実施形態に係る自動洗髪機の右側面図であって、破線により一部の内部構造が示されるとともに、被洗髪者が洗髪を行っている状態を示す図である。
【図３】自動洗髪機における操作パネルの別の配置位置の例を示す側面図である。
【図４】操作パネルの他の形態を示す側面図である。
【図５】この発明の一実施形態に係る自動洗髪機において、座席と本体とを分離した状態の平面図である。
【図６】この発明の一実施形態に係る自動洗髪機において、座席と本体とを分離した状態の側面図であり、座席および本体の内部構造を破線または実線で示す図である。
【図７】この発明の一実施形態に係る自動洗髪機の水路図である。
【図８】この発明の一実施形態に係る自動洗髪機において、オペレータが洗いボールの後方側から作業している様子を示す側面図である。
【図９】この発明の一実施形態に係る自動洗髪機を後方左上部から見た斜視図である。
【図１０】この発明の一実施形態に係る自動洗髪機を後方から見た図で、シャンプー容器およびトリートメント容器の収納位置を説明するための図である。
【図１１】シャンプー容器およびトリートメント容器の収納部分の詳しい構成を示す図解的な図である。
【図１２】シャンプー容器およびトリートメント容器の収納部分の詳しい構成を示す図解的な図である。
【図１３】容器の汲み出し口の内部構造を表わす図で、図１０における矢印Ａ方向から見た図である。
【図１４】この発明の一実施形態における洗いボールの構成を説明するための図である。
【図１５】洗いボールの他の形状の例を示す図である。
【図１６】フードの開閉および移動のための構成を説明する図で、フードを閉じた状態の図である。
【図１７】フードの開閉および移動のための構成を説明する図で、フードを開いた状態の図である。
【図１８】フードの開閉および移動のための構成を説明する図で、フードを第２位置（回避位置）へ移動させた状態の図である。
【図１９】開閉用ユニットの具体的な構成を説明するための図である。
【図２０】開閉用ユニットの具体的な構成を説明するための図である。
【図２１】開閉用ユニットの具体的な構成を説明するための図である。
【図２２】開閉用ユニットの具体的な構成を説明するための図である。
【図２３】フードの開閉および移動のための機構の変形例を説明するための図である。
【図２４】フードの開閉および移動のためのさらに別の変形例を説明するための図である。
【図２５】この発明の他の実施形態に係る自動洗髪機の構成を示す図である。
【符号の説明】
１    自動洗髪機
２    座席
３    コーン形状ハウジング
６    支柱
１０    本体
１１    ネック部
１３    洗いボール
１４    フード
１６    操作パネル
１８    ハンドシャワー
２１    シャンプー容器
２２    トリートメント容器
３６    平坦面
４７    シャワーバルブ
１０１    ガイドレール
１０２    開閉用ユニット
【図１】
0004089777.tif 000002
【図２】
0004089777.tif 000003
【図３】
0004089777.tif 000004
【図４】
0004089777.tif 000005
【図５】
0004089777.tif 000006
【図６】
0004089777.tif 000007
【図７】
0004089777.tif 000008
【図８】
0004089777.tif 000009
【図９】
0004089777.tif 000010
【図１０】
0004089777.tif 000011
【図１１】
0004089777.tif 000012
【図１２】
0004089777.tif 000013
【図１３】
0004089777.tif 000014
【図１４】
0004089777.tif 000015
【図１５】
0004089777.tif 000016
【図１６】
0004089777.tif 000017
【図１７】
0004089777.tif 000018
【図１８】
0004089777.tif 000019
【図１９】
0004089777.tif 000020
【図２０】
0004089777.tif 000021
【図２１】
0004089777.tif 000022
【図２２】
0004089777.tif 000023
【図２３】
0004089777.tif 000024
【図２４】
0004089777.tif 000025
【図２５】
0004089777.tif 000026